(57)【要約】    【課題】筋肉を傷める恐れがなく、体全体の新陳代謝を促すことができ、また、呼吸を調製したり、内傷を引き起こす恐れのないトレーニングマシーンを提供する。    【解決手段】本考案の補助トレーニングマシンは、仰向けに寝て使用し、両側にある稼動アームを同時に上下運動させる。その速度は、使用者の腕を稼動アームの上に置き、手のひらでリモコンを握り、コントロールすることで稼動アームの減速モーターの正反転を行う。そして、伝動モーター上のボルトがカバー筒を動かして上下運動を行わせ、軸接続されたそのカバー筒両側の稼動アームが使用者のリモコン操作によって、上下運動の角度及び速度をコントロールし、同時に、稼動アームの水平角度の調整を行い、胸筋を開く運動をする際の角度が使用者の必要に応じて調整でき、さらに、効果的に腕の経絡を伸ばし、同時に呼吸運動を調整する。【選択図】    図１
0003102668.tif 000002
【実用新案登録請求の範囲】
【請求項１】
本体の内部に減速モーターがあり、その減速モーターの伝動軸ボルトにはカバー筒が上からはめ込まれていて、そのカバー筒の両側にはそれぞれ支えバーが固定されていて、さらに、その支えバーは稼動アームの上に接続されていて、その稼動アームはまた、蝶番に固定されていて、その蝶番はさらに、それぞれ本体の両側に固定されていて、この構造によって、減速モーターを回転させて、カバー筒をコントロールして支えバーを動かして、さらに、稼動アームを作動させて上下運動させ、腕の経絡を伸ばし、同時に胸筋を広げ、呼吸を調整するという効果がある、補助トレーニングマシン。  
【請求項２】
稼動アームが蝶番に軸接続されていることで、その水平角度を調整することができるので、異なった位置において腕の経絡を伸ばすことが可能であるという、請求項1に記載の補助トレーニングマシン。
【考案の詳細な説明】
【技術分野】
【０００１】
本考案は補助トレーニングマシンに関する。本考案の補助トレーニングマシンは、腕の経絡を伸ばすことにより、胸筋を広げ呼吸を調整するという特長を持ち、稼動アームが使用者の必要に応じてコントロールでき、その角度や速度を自在に調整して、自然に胸筋を広げ、呼吸運動を行なうことができる。さらに、腕の経絡のリハビリ補助トレーニングマシンとしての機能も持つ。
【背景技術】
【０００２】
従来のトレーニングマシンは極めて多種に及んでいる。各種トレーニングマシンを機能によって分類すると、チェストプレスマシンやプルダウンマシン等がある。しかしながら、これらのトレーニングマシンは、全て使用者自身の力に頼ることではじめて効果的な運動ができる。また、このタイプのトレーニングマシンは、全て重りによって負荷を調整することで、使用者がストレッチ運動をする際に同時に筋力を鍛えるという目的を持つ。
従来のトレーニングマシンには以下のような欠点が認められる。
１）従来のトレーニングマシンが使用している重りは、負荷を与えて力を調整するためのものである。しかしながら、チェストプレスやプルダウンマシンは全て使用者の力の大小によって、その重りを引き上げて運動を行なうため、筋肉を傷めやすいという欠点がある。
２）マシントレーニングは相当の力を必要とするが、それによって得られる効果はただ筋肉を鍛えるものでしかなく、経絡を伸ばして体全体の新陳代謝を促すものではない。まして、トレーニングマシンで呼吸の調整をするということは望めない。使用する重りが重すぎた場合、無理をしてトレーニングを続けると、内傷を引き起こすことも考えられる。     
【考案の開示】
【考案が解決しようとする課題】
【０００３】
本考案が解決しようとする課題は、筋肉を傷める恐れがなく、体全体の新陳代謝を促すことができ、また、呼吸を調製したり、内傷を引き起こす恐れのないトレーニングマシーンを提供することにある。
【課題を解決するための手段】
【０００４】
本考案の補助トレーニングマシンは、仰向けに寝て使用し、両側にある稼動アームを同時に上下運動させる。その速度は、使用者の腕を稼動アームの上に置き、手のひらでリモコンを握り、コントロールすることで稼動アームの減速モーターの正反転を行う。そして、伝動モーター上のボルトがカバー筒を動かして上下運動を行わせ、軸接続されたそのカバー筒両側の稼動アームが使用者のリモコン操作によって、上下運動の角度及び速度をコントロールし、同時に、稼動アームの水平角度の調整を行い、胸筋を開く運動をする際の角度が使用者の必要に応じて調整でき、さらに、効果的に腕の経絡を伸ばし、同時に呼吸運動を調整する。
【考案の効果】
【０００５】
本考案の補助トレーニングマシンは、本体の両側にそれぞれ稼動アームがある。この稼動アームはカバー筒に軸固定されていて、さらに、このカバー筒はボルトに固定されている。伝動減速モーターは正反転によりコントロールされ、ボルトによってカバー筒の上下運動を行なう。同時に、二つの稼動アームを同時に上下運動させる。使用者がベッドに寝て、頭部を本体の枕の上に載せ、自然で楽な状態で両手を稼動アームの上に置いて、自分で稼動アームの角度及び速度をコントロールして、腕の経絡を伸ばし、胸筋を広げて呼吸運動が行なえる。
また、本考案の補助トレーニングマシンは、稼動アームの水平角度が調整できるので、使用者が必要な腕を伸ばす位置を調整することができるため、全方位的な使用が可能である。
【考案を実施するための最良の形態】
【０００６】
図１及び図２を参照いただきたい。本考案の補助トレーニングマシンは、本体１の内部に減速モーター２があり、その減速モーター２の伝動軸はボルト２１に固定されていて、そのボルト２１にはカバー筒２２が上からはめ込まれている。そして、そのカバー筒２２の両側にはそれぞれ支えバー３が固定されていて、さらに、その支えバー３は稼動アーム４の上に接続されている。そして、その稼動アーム４はまた、蝶番５に固定されている。その蝶番５はさらに、それぞれ本体１の両側に固定されている。
【０００７】
図３Ａを参照いただきたい。使用者が自然に仰向けに寝て、両腕を稼動アーム４の上に載せて、保護カバー４１によって固定し、使用者が手でリモコンを握って、自分で減速モーター２の正反転及び停止をコントロールし、稼動アーム２の振りの速度をコントロールする。図３Ｂを参照いただきたい。減速モーター２が作動し、ボルト２１が回転すると、カバー筒２２が下に移動し、支えバー３は蝶番５によって軸心が稼動アーム４を動かして下に押す。そして、稼動アーム４に載せた腕も自然と下に下がる。使用者が下に下がった位置が限界だと認めた時、減速モーター２をコントロールして運転を停止する。さらに、減速モーター２を反転させて、カバー筒２２を上に移動させ、支えバー３を動かして、稼動アーム４を上に上げて、腕を稼動アーム４の上下運動に合わせて、運動させ、腕の経絡を伸ばし、同時に胸筋を広げ、呼吸を調整するという効果もある。
【０００８】
また、稼動アーム４の上下の振りの限界は、カバー筒２２の移動の最大限界でもある。それぞれ、極限スイッチあるいはその他の回路制御方式（本考案の請求範囲ではないため詳細を省く）を取り付けて、減速モーター２が自動的に回転を停止し、回転方向が変更するようにすることもできる。
【０００９】
図４を参照いただきたい。稼動アーム２２は蝶番５に軸接続されている。したがって、稼動アーム２２はその水平角度を調整することができるので、異なった位置において腕の経絡を伸ばすことが可能である。  
【図面の簡単な説明】
【００１０】
【図１】本考案の立体分解図である。
【図２】本考案の立体組立図である。
【図３Ａ】本考案の実施例の操作見取り図である。
【図３Ｂ】本考案の実施例の操作見取り図である。
【図４】本考案のもう一つの実施例の操作見取り図である。
【符号の説明】
【００１１】
１      本体                      ２      減速モーター
２１    ボルト                    ２２    カバー筒
３      支えバー                  ４      動揺アーム
４１    保護カバー                ５      蝶番  
【図１】
0003102668.tif 000003
【図２】
0003102668.tif 000004
【図３Ａ】
0003102668.tif 000005
【図３Ｂ】
0003102668.tif 000006
【図４】
0003102668.tif 000007